(57)【要約】【課題】漏電事故を防止することができる水中モータを提供する。【解決手段】水中モータは、モータ本体３６と、モータ本体３６に電力を供給するための電力ケーブル３７ａと、電力ケーブル３７ａに電気的に接続されたケーブルコンタクト５０と、ケーブルコンタクト５０が液密的に結合されたケーブル側絶縁性部材４９と、ケーブルコンタクト５０に接続されたモータコンタクト４２と、モータコンタクト４２が液密的に結合されたモータ側絶縁性部材４１と、ケーブル側絶縁性部材４９とモータ側絶縁性部材４１との間に形成された密閉空間６０に充填された絶縁性の樹脂９３とを備える。ケーブルコンタクト５０とモータコンタクト４２との接続部分は、樹脂９３で覆われている。【選択図】図４
2018085196.tif 000002
【特許請求の範囲】
【請求項１】
モータ本体と、
前記モータ本体に電力を供給するための電力ケーブルと、
前記電力ケーブルに電気的に接続されたケーブルコンタクトと、
前記ケーブルコンタクトが液密的に結合されたケーブル側絶縁性部材と、
前記ケーブルコンタクトに接続されたモータコンタクトと、
前記モータコンタクトが液密的に結合されたモータ側絶縁性部材と、
前記ケーブル側絶縁性部材と前記モータ側絶縁性部材との間に形成された密閉空間に充填された絶縁性の樹脂とを備え、
前記ケーブルコンタクトと前記モータコンタクトとの接続部分は、前記樹脂で覆われていることを特徴とする水中モータ。
【請求項２】
前記ケーブル側絶縁性部材が液密的に結合された導電性外被部材をさらに備え、
前記導電性外被部材には、前記密閉空間に連通する樹脂注入孔が形成されていることを特徴とする請求項１に記載の水中モータ。
【請求項３】
前記導電性外被部材は、前記モータ側絶縁性部材が液密的に結合された中間部材を備えており、
前記樹脂注入孔は前記中間部材に形成されていることを特徴とする請求項２に記載の水中モータ。
【請求項４】
電力ケーブルに電気的に接続可能なケーブルコンタクトと、
前記ケーブルコンタクトが液密的に結合されたケーブル側絶縁性部材と、
前記ケーブルコンタクトに接続可能なモータコンタクトと、
前記モータコンタクトが液密的に結合されたモータ側絶縁性部材と、
前記ケーブル側絶縁性部材と前記モータ側絶縁性部材との間に形成された密閉空間に充填された絶縁性の樹脂とを備え、
前記ケーブルコンタクトと前記モータコンタクトとの接続部分は、前記樹脂で覆われていることを特徴とする防水コネクタ。
【請求項５】
前記ケーブル側絶縁性部材が液密的に結合された導電性外被部材をさらに備え、
前記導電性外被部材には、前記密閉空間に連通する樹脂注入孔が形成されていることを特徴とする請求項４に記載の防水コネクタ。
【請求項６】
前記導電性外被部材は、前記モータ側絶縁性部材が液密的に結合された中間部材を備えており、
前記樹脂注入孔は前記中間部材に形成されていることを特徴とする請求項５に記載の防水コネクタ。
【発明の詳細な説明】
【技術分野】
【０００１】
本発明は、水中モータ及び防水コネクタに関し、特に、高電圧の水中モータ及び該水中モータに適用される防水コネクタに関するものである。
【背景技術】
【０００２】
昨今の異常気象や台風及び洪水など災害の影響により、従来の陸上ポンプでは運転が必要な災害時にポンプを運転できないケースが散見されている。この対策として没水時にも運転可能な水中ポンプの導入が検討され、ポンプの交換時において、陸上ポンプを水中ポンプに交換する案件が増加している。
【０００３】
水中ポンプの導入に伴い、これまでにない大容量の水中モータが必要となっている。特に、海外における河川や排水機場の規模は大きいため、多くの場合、大出力(１ＭＷクラス)の水中モータが採用される。
【０００４】
水中ポンプの大出力化に伴い、水中モータの高電圧化が進んでいる。これは、低電圧の水中モータでは、次のようなデメリットがあるためである。つまり、大電流を水中モータに流すためには、水中モータのモータ本体と電源とを接続するケーブルのサイズを大きくしなければならない。ケーブルのサイズが大きくなると、ケーブルの価格が高くなり、特殊なケーブルを使用しなければならず、ケーブルの重量も増大してしまう。このようなケーブルを取り扱うことは困難である。さらに、このような水中モータでは、電圧降下が大きくなるため、ケーブルのサイズを大きくしなければならず、水中モータの始動容量を大きくしなければならない。つまり、発電機や変圧器を大型化しなければならない。結果として、設備や遮断器を大型化しなければならない。さらに、このような水中モータでは、モータ本体とケーブルとの接続部が大型化し、接続作業が困難になってしまう。
【０００５】
これに対し、高電圧の水中モータのメリットは次の通りである。つまり、高電圧の水中モータでは、電流を小さく抑えることができるため、ケーブルのサイズを小さくすることができる。さらに、電圧降下を小さくすることができるため、水中モータの始動容量を小さくすることができ、結果として、設備や遮断器を小型化することができる。さらに、このような水中モータでは、モータ本体とケーブルとの接続部を小型化することができるため、水中モータのコストを低減することができ、接続作業を容易にすることができる。
【０００６】
防水コネクタを介してケーブルをモータ本体に電気的に接続するタイプの水中モータが知られている。図６はコネクタ方式の水中モータを示す図である。図６に示すように、ケーブル１３７は防水コネクタ１４６に接続されている。ケーブル１３７は、電力ケーブル１３７ａ及びアースケーブル１３７ｂから構成されている。これら電力ケーブル１３７ａ及びアースケーブル１３７ｂは、ケーブルコンタクト１５０及びアースコンタクト１５１にそれぞれ接続されている。
【０００７】
防水コネクタ１４６は、ケーブルコンタクト１５０及びアースコンタクト１５１が液密的に接続された絶縁体１４９と、絶縁体１４９が液密的に結合された導電性外被部材１４８とを備えている。モータ本体１３６には、口出し線１４５が接続されており、口出し線１４５はモータコンタクト１４２に接続されている。モータコンタクト１４２は絶縁体１４１に液密的に接続されており、絶縁体１４１はモータケーシング１４０に液密的に結合されている。ケーブルコンタクト１５０がモータコンタクト１４２に接続されると、電力はケーブル１３７及び口出し線１４５を通じて電源からモータ本体１３６に供給される。
【先行技術文献】
【特許文献】
【０００８】
【特許文献１】特開平９−７４７０９号公報
【特許文献２】実開昭６１−１４７５７０号公報
【発明の概要】
【発明が解決しようとする課題】
【０００９】
しかしながら、図６に示すように、コンタクト１４２，１５０の接続部分は、絶縁体１４１と絶縁体１４９との間に形成された空間１６０内に位置している。したがって、電力がモータ本体１３６に供給されると、コンタクト１４２，１５０の接続部分が位置する空間１６０内において放電現象が発生するおそれがあり、結果として、漏電事故が発生するおそれがある。
【００１０】
本発明は、上述した従来の問題点に鑑みてなされたもので、漏電事故を防止することができる水中モータ及び防水コネクタを提供することを目的とする。
【課題を解決するための手段】
【００１１】
上述した目的を達成するために、本発明の一態様は、モータ本体と、前記モータ本体に電力を供給するための電力ケーブルと、前記電力ケーブルに電気的に接続されたケーブルコンタクトと、前記ケーブルコンタクトが液密的に結合されたケーブル側絶縁性部材と、前記ケーブルコンタクトに接続されたモータコンタクトと、前記モータコンタクトが液密的に結合されたモータ側絶縁性部材と、前記ケーブル側絶縁性部材と前記モータ側絶縁性部材との間に形成された密閉空間に充填された絶縁性の樹脂とを備え、前記ケーブルコンタクトと前記モータコンタクトとの接続部分は、前記樹脂で覆われていることを特徴とする水中モータである。
【００１２】
本発明の好ましい態様は、前記ケーブル側絶縁性部材が液密的に結合された導電性外被部材をさらに備え、前記導電性外被部材には、前記密閉空間に連通する樹脂注入孔が形成されていることを特徴とする。
本発明の好ましい態様は、前記導電性外被部材は、前記モータ側絶縁性部材が液密的に結合された中間部材を備えており、前記樹脂注入孔は前記中間部材に形成されていることを特徴とする。
【００１３】
本発明の他の態様は、電力ケーブルに電気的に接続可能なケーブルコンタクトと、前記ケーブルコンタクトが液密的に結合されたケーブル側絶縁性部材と、前記ケーブルコンタクトに接続可能なモータコンタクトと、前記モータコンタクトが液密的に結合されたモータ側絶縁性部材と、前記ケーブル側絶縁性部材と前記モータ側絶縁性部材との間に形成された密閉空間に充填された絶縁性の樹脂とを備え、前記ケーブルコンタクトと前記モータコンタクトとの接続部分は、前記樹脂で覆われていることを特徴とする防水コネクタである。
【００１４】
本発明の好ましい態様は、前記ケーブル側絶縁性部材が液密的に結合された導電性外被部材をさらに備え、前記導電性外被部材には、前記密閉空間に連通する樹脂注入孔が形成されていることを特徴とする。
本発明の好ましい態様は、前記導電性外被部材は、前記モータ側絶縁性部材が液密的に結合された中間部材を備えており、前記樹脂注入孔は前記中間部材に形成されていることを特徴とする。
【発明の効果】
【００１５】
絶縁性の樹脂は密閉空間に充填されており、ケーブルコンタクトとモータコンタクトとの接続部分はこの樹脂で覆われている。したがって、この樹脂は、ケーブルコンタクトとモータコンタクトとの接続部分の絶縁距離を十分に確保することができ、結果として、漏電事故を防止することができる。
【図面の簡単な説明】
【００１６】
【図１】本発明の一実施形態に係る水中モータを備えた水中渦巻ポンプ装置を示す図である。
【図２】本発明の一実施形態に係る水中モータを備えた水中斜流ポンプ装置を示す図である。
【図３】モータ本体とケーブルとの接続を示す断面図である。
【図４】防水コネクタの一実施形態を示す図である。
【図５】防水コネクタの他の実施形態を示す断面図である。
【図６】コネクタ方式の水中モータを示す図である。
【発明を実施するための形態】
【００１７】
以下、本発明の実施形態について図面を参照して説明する。なお、以下で説明する図面において、同一又は相当する構成要素には、同一の符号を付して重複した説明を省略する。
以下に説明する実施形態では、水中機械の一例としての乾式水中モータについて説明するが、水中機械は乾式水中モータに限定されない。水中機械の他の例として、乾式水中発電機を挙げることができる。
【００１８】
図１は本発明の一実施形態に係る水中モータを備えた水中渦巻ポンプ装置を示す図である。図２は本発明の一実施形態に係る水中モータを備えた水中斜流ポンプ装置を示す図である。図１及び図２に示すように、水中モータは、水中渦巻ポンプや水中斜流ポンプなどの水中ポンプに適用される。以下、図１を参照しつつ、水中モータを備えた水中渦巻ポンプ装置について説明する。
【００１９】
図１に示すように、ポンプ装置は、水中モータＭ及びポンプＰを備えており、水中モータＭはポンプＰに接続されている。吸込口３０、渦巻室３１、及び吐出配管３２を有するポンプケーシング３３内には羽根車（図示しない）が設けられている。羽根車が回転すると、水は、吸込口３０から吸い込まれ、吐出配管３２を通じて移送される。ポンプケーシング３３には筒状のモータケーシング３５が接続されており、モータケーシング３５はモータ本体３６を液密的に囲んでいる。モータ本体３６にはケーブル３７及び制御ケーブル３８が電気的に接続可能である。
【００２０】
図３はモータ本体３６とケーブル３７，３８との接続を示す断面図である。図４は防水コネクタの一実施形態を示す図である。なお、図３に示す水中モータＭの形状は図１及び図２に示す水中モータＭの形状とは僅かに異なっている。モータケーシング３５はその端部に天板４０を有しており、天板４０の開口部４０ａにはモータ側絶縁体（モータ側絶縁性部材）４１が液密的に結合されている。モータ側絶縁体４１は、モータ側孔４１ａを有している。
【００２１】
モータ側孔４１ａには、モータコンタクト４２が液密的に取り付けられている。天板４０とモータ側絶縁体４１との間にはＯリング（シール部材）４３が配置されており、モータ側絶縁体４１とモータコンタクト４２との間にはＯリング（シール部材）４４が配置されている。モータコンタクト４２にはモータ本体３６に接続された口出し線４５が電気的に接続されている。
【００２２】
ケーブル３７の先端部分は筒状のコネクタ本体４６に取り囲まれている。コネクタ本体４６には、ケーブルパッキン（シール部材）４７を介してケーブルグランド４８がねじ６３の締結によって固定されている。これらコネクタ本体４６及びケーブルグランド４８は総称して導電性外被部材と呼ばれる。ケーブルパッキン４７は、環状形状を有しており、ケーブル３７（より具体的には、ケーブル３７を覆うケーブルカバー）とケーブルグランド４８との間に配置されている。
【００２３】
コネクタ本体４６には、ケーブル側絶縁体（ケーブル側絶縁性部材）４９が液密的に結合されている。ケーブル側絶縁体４９は、第１ケーブル側孔４９ａ及び第２ケーブル側孔４９ｂを有している。第１ケーブル側孔４９ａには、ケーブルコンタクト５０が液密的に取り付けられている。第２ケーブル側孔４９ｂには、アースコンタクト５１が液密的に取り付けられている。
【００２４】
ケーブルコンタクト５０は、その先端５０ａがケーブル側絶縁体４９の外面の外方に突出するように設けられている。ケーブル側絶縁体４９の外面はモータ側絶縁体４１に対向する面である。ケーブルコンタクト５０には、ケーブル３７の電力ケーブル３７ａが電気的に接続されている。電力ケーブル３７ａは、モータ本体３６に電力を供給するためのケーブルである。アースコンタクト５１には、ケーブル３７のアースケーブル３７ｃが電気的に接続されている。
【００２５】
防水コネクタはモータ側コネクタ６１及びケーブル側コネクタ６２から構成されている。モータ側コネクタ６１は、モータ側絶縁体４１及びモータコンタクト４２から基本的に構成されており、ケーブル側コネクタ６２は、導電性外被部材（コネクタ本体４６及びケーブルグランド４８）、ケーブル側絶縁体４９、ケーブルコンタクト５０、及びアースコンタクト５１から基本的に構成されている。
【００２６】
コネクタ本体４６とケーブル側絶縁体４９との間にはＯリング（シール部材）５５が配置されており、コネクタ本体４６と天板４０との間にはＯリング（シール部材）５９が配置されている。Ｏリング５５によってコネクタ本体４６とケーブル側絶縁体４９との間の液密性が確保され、Ｏリング５９によってコネクタ本体４６と天板４０との間の液密性が確保される。
【００２７】
ケーブル側絶縁体４９の内面には壁５６が接続されている。壁５６は、ケーブルコンタクト５０の延びる方向に沿って延びている。ケーブル側絶縁体４９及び壁５６は一体的に構成されている。ケーブル側絶縁体４９の内面はケーブル側絶縁体４９の外面とは反対側の面である。
【００２８】
壁５６とケーブルコンタクト５０との間の隙間には、樹脂６７がコンタクト５０，５１及びケーブル３７ａ，３７ｃの露出部３７ｂ，３７ｄを覆うように充填されている。樹脂６７は、ケーブル３７ａ，３７ｃの露出部３７ｂ，３７ｄを空間４６ａから気密的及び液密的に隔離できる。コンタクト５０，５１は、樹脂６７を介して液密的にケーブル側絶縁体４９に取り付けられる。ケーブル３７ａ，３７ｃの露出部３７ｂ，３７ｄを樹脂６７によって被覆する処理は水切り処理と呼ばれる。本実施形態によれば、陸上側の水がケーブル３７を介してコネクタ接続部及び水中モータＭの内部に浸入することが防止される。
【００２９】
コネクタ本体４６はその下端から突出するフランジ部５７を有している。これらコネクタ本体４６及びフランジ部５７は一体的に構成されている。フランジ部５７は、図示しない複数の締結具（例えば、ねじ）によってモータケーシング３５の天板４０に液密的に結合されている。フランジ部５７には、これら複数の締結具を挿通するための複数の締結穴（図示しない）が形成されており、これら複数の締結穴はフランジ部５７の周方向に沿って配置されている。締結具を締結穴に挿入し、締結具を締め付けることにより、フランジ部５７は天板４０に液密的に結合される。
【００３０】
フランジ部５７はその下端から突出する筒状凸部９１を備えており、天板４０はその開口部４０ａに形成された筒状凹部９２を備えている。筒状凸部９１は導電性外被部材の開口部の一部を形成しており、筒状凹部９２は天板４０の開口部４０ａの一部を形成している。筒状凸部９１と筒状凹部９２は互いに嵌合するように構成されている。
【００３１】
ケーブルコンタクト５０は、ケーブル側絶縁体４９からモータ側絶縁体４１に向かって外方に突出している。さらに、筒状凸部９１の先端９１ａは、ケーブルコンタクト５０の先端５０ａよりもモータ側絶縁体４１に向かって外方に突出している。ケーブルコンタクト５０とケーブル側絶縁体４９、及び筒状凸部９１とケーブルコンタクト５０をこのような位置関係にすることによって、樹脂などによる成型部品をモータ側絶縁体４１及びケーブル側絶縁体４９に採用することができる。つまり、機械加工による部品と比較し、仕上がり寸法精度の劣るような樹脂などの成型部品をモータ側絶縁体４１及びケーブル側絶縁体４９に採用したとしても、モータ側絶縁体４１の外面とケーブル側絶縁体４９の外面との間には接続部空間（密閉空間）６０が確保される。その結果、接続部空間６０は、種々の製造誤差や組立誤差等の要因による寸法のバラつき等を吸収しつつ、モータコンタクト４２とケーブルコンタクト５０の電気的機械的接続と、筒状凸部９１と筒状凹部９２との機械的接続とを確実に達成することができる。
【００３２】
さらに本実施形態によれば、筒状壁（筒状凸部９１及び筒状凹部９２）同士の嵌合により、防水コネクタの着脱が容易であるとともに、確実なシール構造を容易に構成することができる。
【００３３】
防水コネクタは、アースコンタクト５１と導電性外被部材とを電気的に接続する板状のアース部材５２を備えている。アース部材５２は、Ｌ字形状を有しており、導電性材料から構成されている。アース部材５２は、アースコンタクト５１にねじ５３によって固定されており、コネクタ本体４６（より具体的には、筒状凸部９１）にねじ５４によって固定されている。
【００３４】
防水コネクタは、ケーブル側絶縁体４９とモータ側絶縁体４１との間に形成された接続部空間６０に充填された絶縁性の樹脂９３をさらに備えている（図４の網掛け参照）。接続部空間６０は、モータ側絶縁体４１、ケーブル側絶縁体４９、天板４０、及びコネクタ本体４６によって形成された密閉空間であり、樹脂９３はコネクタ本体４６に形成された樹脂注入孔８０を通じて接続部空間６０に充填されている。本実施形態では、接続部空間６０の全体は樹脂９３で完全に満たされている。
【００３５】
樹脂９３は、モータ側絶縁体４１、ケーブル側絶縁体４９、天板４０、及びコネクタ本体４６に接触しており、これら部材４１，４９，４０，４６は樹脂９３を介して接続されている。ケーブルコンタクト５０とモータコンタクト４２との接続部分は、接続部空間６０に位置しており、樹脂９３で覆われている。アース部材５２も同様に樹脂９３で覆われている。本実施形態では、接続部空間６０内にあるケーブルコンタクト５０とモータコンタクト４２との露出部分の全体は樹脂９３で覆われている。
【００３６】
上述したように、コネクタ本体４６のフランジ部５７には、接続部空間６０に連通する樹脂注入孔８０が形成されている。この樹脂注入孔８０は、フランジ部５７の内面５７ａからフランジ部５７の外面５７ｂまで延びている。樹脂注入孔８０は、ケーブル側絶縁体４９とモータ側絶縁体４１との間のフランジ部５７の内面５７ａで開口している。本実施形態では、樹脂注入孔８０は接続部空間６０の上部の位置で開口している。
【００３７】
フランジ部５７はコネクタ本体４６の半径方向外側に向かって延びており、樹脂注入孔８０はフランジ部５７の延びる方向に沿って延びている。本実施形態では、樹脂注入孔８０は、接続部空間６０から離間する方向に直線状に延びており、コネクタ本体４６を貫通している。一実施形態では、樹脂注入孔８０は、その途中で屈曲（又は湾曲）していてもよい。
【００３８】
樹脂注入孔８０には閉塞栓８２が取り付けられており、樹脂注入孔８０は閉塞栓８２によって閉塞されている。このようにして、閉塞栓８２は水の樹脂注入孔８０の通過を防止している。閉塞栓８２が取り外されると、接続部空間６０及び外部空間は樹脂注入孔８０を通じて連通される。樹脂９３は、流動性及び絶縁性を有する樹脂であり、時間経過とともに硬化する性質を有している。樹脂９３の一例として、３Ｍ社製の解体可能型レジン４４４１Ｊを挙げることができる。樹脂９３が樹脂注入孔８０を通じて接続部空間６０に流し込まれると、接続部空間６０は樹脂９３で満たされる。
【００３９】
コネクタ本体４６のフランジ部５７には接続部空間６０に連通する空気抜き孔１８０が形成されている。空気抜き孔１８０には栓部材１８２が取り付けられている。空気抜き孔１８０は栓部材１８２によって閉塞されている。閉塞栓８２及び栓部材１８２が取り外された後、樹脂９３が樹脂注入孔８０を通じて接続部空間６０に導入されると、接続部空間６０内の空気は空気抜き孔１８０を通じて外部に押し出される。樹脂９３が接続部空間６０内に充填された後、樹脂注入孔８０及び空気抜き孔１８０は、それぞれ、閉塞栓８２及び栓部材１８２によって閉塞される。
【００４０】
本実施形態では、空気抜き孔１８０は接続部空間６０の上部で開口している。空気抜き孔１８０は接続部空間６０に関して樹脂注入孔８０の反対側に配置されている。ただし、樹脂注入孔８０及び空気抜き孔１８０の位置関係は本実施形態に限定されない。樹脂注入孔８０及び空気抜き孔１８０の位置関係は任意に決定することができる。
【００４１】
本実施形態によれば、樹脂９３の充填によって接続部空間６０内の空気は空気抜き孔１８０を通じて排出されるので、接続部空間６０内の空気はなくなり、接続部空間６０は樹脂９３で満たされる。ケーブルコンタクト５０とモータコンタクト４２との接続部分は絶縁性の樹脂９３で覆われている。絶縁性を有する樹脂９３は、コンタクト５０，４２の接続部分の絶縁距離を十分に確保することができ、結果として、漏電事故を防止することができる。さらに本実施形態によれば、コネクタ方式の水中モータを採用することにより、このような絶縁処理を容易に行うことができる。
【００４２】
さらに本実施形態によれば、樹脂９３の充填により接続部空間６０が樹脂９３で埋まる。つまり、樹脂９３が充填された後の接続部空間６０には空気は存在しない。したがって、結露が接続部空間６０に発生することが防止される。さらに本実施形態によれば、硬化後の樹脂９３は弾性を有しているため、接続部空間６０に充填された樹脂９３は水中モータＭの運転により発生する振動を吸収することができる。したがって、防水コネクタを構成する部材の損傷を防止することができる。このように、樹脂９３は水中モータＭの振動の対策に寄与することができる。さらに本実施形態によれば、樹脂９３はシール部材としても機能するため、水の接続部空間６０への浸入をより確実に防止することができる。
【００４３】
以下、上述した防水コネクタの接続工程について説明する。まず、口出し線４５が接続されたモータコンタクト４２をモータ側絶縁体４１のモータ側孔４１ａに液密的に取り付ける。電力ケーブル３７ａが接続されたケーブルコンタクト５０をケーブル側絶縁体４９のケーブル側孔４９ａに液密的に取り付け、アースケーブル３７ｃが接続されたアースコンタクト５１をケーブル側孔４９ｂに液密的に取り付ける。ケーブル３７ａ，３７ｃをコンタクト５０，５１にそれぞれ接続した後、壁５６とコンタクト５０，５１との間の隙間に樹脂６７を流し込み、硬化させる。
【００４４】
次に、コンタクト４２，５０が互いに接続され、電力ケーブル３７ａと口出し線４５とが電気的に接続される。図示しないが、制御ケーブル３８も同様に接続される。コンタクト４２，５０が互いに接続された後、樹脂注入孔８０を通じて樹脂９３を接続部空間６０に流し込み、硬化させる。
【００４５】
このように構成された水中モータＭでは、コネクタ構造が採用されているにもかかわらず、液密性が充分に保たれている。すなわち、筒状壁（筒状凸部９１及び筒状凹部９２）同士の嵌合、Ｏリング４３，４４，５５，５９、及びケーブルパッキン４７により、確実なシール構造を容易に構成することができる。さらに、接続部空間６０には樹脂９３が充填されているため、より確実なシール構造を構成することができる。万一、水中で防水コネクタが外れても、Ｏリング４３，４４（及び樹脂９３）は水のモータ本体３６への浸入を防止しているので、水がモータ本体３６に浸入するような事態は生じない。
【００４６】
図５は防水コネクタの他の実施形態を示す断面図である。特に説明しない本実施形態の構成および動作は、上述した実施形態と同じであるので、その重複する説明を省略する。防水コネクタは、コネクタ本体４６と天板４０との間に配置されたソケット部材（中間部材）７０をさらに備えている。本実施形態では、コネクタ本体４６、ケーブルグランド４８、及びソケット部材７０は総称して導電性外被部材と呼ばれる。コネクタ本体４６は、ソケット部材７０を介してモータケーシング３５の天板４０に液密的に結合される。
【００４７】
ソケット部材７０の形状は比較的自由に決定することができ、かつ、ソケット部材７０の加工は比較的容易である。本実施形態によれば、モータケーシング３５を直接加工することなく、ソケット部材７０を加工するだけでコネクタ本体４６をモータケーシング３５（より具体的には、天板４０）に接続することができる。
【００４８】
ソケット部材７０は天板４０の開口部４０ａに液密的に結合されており、ソケット部材７０には、モータ側絶縁体４１が液密的に結合されている。ソケット部材７０と天板４０との間にはＯリング（シール部材）７７が配置されており、ソケット部材７０とモータ側絶縁体４１との間にはＯリング（シール部材）４３が配置されている。Ｏリング７７によってソケット部材７０と天板４０との間の液密性が確保され、Ｏリング４３によってソケット部材７０とモータ側絶縁体４１との間の液密性が確保される。
【００４９】
コネクタ本体４６はその下端から突出するフランジ部８３を有している。フランジ部８３は上述した実施形態におけるフランジ部５７に相当する。フランジ部８３はその下端から突出する筒状部８５を備えており、筒状部８５はソケット部材７０に嵌合するように構成されている。筒状部８５の先端はケーブルコンタクト５０の先端５０ａよりもモータ側絶縁体４１に向かって外方に突出している。筒状部８５は上述した実施形態における筒状凸部９１に相当する。
【００５０】
ソケット部材７０は、フランジ部７１と、フランジ部７１の下面から突出する筒状部７２とから構成されている。これらフランジ部７１及び筒状部７２は一体的に構成されている。フランジ部７１はその中央に形成された受容穴（内面）７１ａを有しており、筒状部８５及び受容穴７１ａは互いに嵌合するように構成されている。
【００５１】
フランジ部７１，８３には、複数の締結具（図示しない）を挿通するための複数の締結穴（図示しない）がそれぞれ形成されている。これら複数の締結穴はフランジ部７１，８３の周方向に沿って配置されている。
【００５２】
コネクタ本体４６は、その締結穴がソケット部材７０の締結穴に接続されるように、ソケット部材７０に結合される。その後、締結具は締結穴に挿入され、締結具を締め付けることにより、コネクタ本体４６はソケット部材７０を介して天板４０に結合される。
【００５３】
コネクタ本体４６の筒状部８５とフランジ部７１の受容穴７１ａ（すなわち、フランジ部７１の内面）との間にはＯリング（シール部材）７８が配置されており、フランジ部７１の外面７１ｂとコネクタ本体４６のフランジ部８３との間にはＯリング（シール部材）７９が配置されている。Ｏリング７８，７９によりコネクタ本体４６とソケット部材７０との間の液密性が確保される。
【００５４】
コネクタ本体４６をソケット部材７０に取り付ける際、筒状部８５は、コンタクト４２，５０が接触する前にフランジ部７１に接触する。つまり、筒状部８５の先端はケーブルコンタクト５０の先端５０ａよりもモータ側絶縁体４１に向かって外方に突出しており、フランジ部７１の外面７１ｂはモータコンタクト４２の先端よりもケーブル側絶縁体４９に向かって外方に突出している。したがって、筒状部８５は、ケーブルコンタクト５０がモータコンタクト４２に接触する前に、フランジ部７１に接触することができる。防水コネクタを取り外す際は、筒状部８５は、ケーブルコンタクト５０がモータコンタクト４２から離間した後に、フランジ部７１から離間する。このような構成により、防水コネクタを接続する際は、コンタクト５０，４２の接続よりも先にアース接続が行われ、防水コネクタの取り外しの際は、コンタクト５０，４２の離間よりも後にアース接続が切断される。したがって、作業者の感電事故の発生を防止することができる。
【００５５】
本実施形態では、コネクタ本体４６の空間４６ａは絶縁性の樹脂９８で満たされており、ケーブル３７ａ，３７ｃ及びこれらケーブル３７ａ，３７ｃの露出部３７ｂ，３７ｄはこの樹脂９８によって完全に被覆されている。コネクタ本体４６の内面には、樹脂９８を空間４６ａ内に流し込むための溝９９が形成されている。このような溝９９を設けることにより、ケーブル３７を防水コネクタに装着した状態で樹脂９８を空間４６ａに充填することができる。
【００５６】
図５に示すように、樹脂注入孔８０はソケット部材７０に形成されており、樹脂注入孔８０はソケット部材７０を貫通している。より具体的には、樹脂注入孔８０はフランジ部７１の受容穴（すなわち、内面）７１ａからフランジ部７１の外面７１ｂまで延びている。樹脂注入孔８０は、筒状部８５と筒状部７２との間のフランジ部７１の内面７１ａで開口している。本実施形態では、樹脂注入孔８０は接続部空間６０の下部の位置で開口している。
【００５７】
空気抜き孔１８０はソケット部材７０に形成されており、空気抜き孔１８０は接続部空間６０の下部で開口している。空気抜き孔１８０は接続部空間６０に関して樹脂注入孔８０の反対側に配置されている。ただし、樹脂注入孔８０及び空気抜き孔１８０の位置関係は本実施形態に限定されない。樹脂注入孔８０及び空気抜き孔１８０の位置関係は任意に決定することができる。
【００５８】
上述した実施形態では、水中モータに適用される防水コネクタについて説明したが、この実施形態に限定されない。防水コネクタは、水中あるいは水際で使用する、又は、その可能性のある電気・電子機器にも適用される。例えば、本実施形態に係る防水コネクタは、水中作業船の電源供給部、車両用動力・制御ケーブルの接続部に適用されても優れた効果を奏することができる。
【００５９】
これまで本発明の実施形態について説明したが、本発明は上述の実施形態に限定されず、その技術思想の範囲内において、種々の異なる形態で実施されてよいことは勿論である。
【符号の説明】
【００６０】
３６      モータ本体
３７      ケーブル
３７ａ      電力ケーブル
３７ｂ，３７ｄ      露出部
３７ｃ      アースケーブル
３８      制御ケーブル
４０      天板
４１      モータ側絶縁体（モータ側絶縁性部材）
４２      モータコンタクト
４５      口出し線
４６      コネクタ本体
４９      ケーブル側絶縁体（ケーブル側絶縁性部材）
５０      ケーブルコンタクト
５１      アースコンタクト
５２      アース部材
６０      接続部空間（密閉空間）
７０      ソケット部材（中間部材）
８０      樹脂注入孔
８２      閉塞栓
９３，９８      樹脂
９９      溝
１８０      空気抜き孔
１８２      栓部材
【図１】
2018085196.tif 000003
【図２】
2018085196.tif 000004
【図３】
2018085196.tif 000005
【図４】
2018085196.tif 000006
【図５】
2018085196.tif 000007
【図６】
2018085196.tif 000008